(57)【要約】【課題】  窓ガラスの内外両面を同時に効率よく清掃できる装置を提供する。【解決手段】  ガラスの室内及び室外側を窓の上枠（２２）と下枠（２３）に沿って移動可能なよう保持された室内及び室外スライドポール（１１Ａ，１１Ｂ）と; これらのスライドポールに取り付けられたワイパーブレード（１４Ａ，１４Ｂ）と; 室内及び室外スライドポールを常時垂直状態に保つため、窓の上枠（２２）の一端近くの固定位置から室内及び室外スライドポール内をそれぞれ通過して、下枠（２３）の他端近くの固定位置まで、張り詰めた状態で張架された非伸縮性の垂直保持用第１及び第２ワイヤ（１５Ａ，１６Ａ，１５Ｂ，１６Ｂ）と; 室内及び室外スライドポール（１１Ａ，１１Ｂ）を同時に左右に引き動かす牽引ワイヤ（１７−１，１７−２）と; から構成される。室内及び室外スライドポールを上下に引き動かすように構成してもよい。【選択図】  図１
2006239221.tif 000002
【特許請求の範囲】
【請求項１】
開閉不可能な窓枠にガラスを固定して成る嵌め殺し窓の清掃装置であって、
ガラス（２１）の丈と略等しい長さを有し、上端及び下端に設けたガイド部材（１２Ａ，１３Ａ）により、ガラスの室内側を窓の上枠（２２）と下枠（２３）に沿って左右に移動可能なよう保持された室内スライドポール（１１Ａ）と、
当該室内スライドポールの略全長にわたって延びるよう取り付けられ、ガラスの室内側表面を払拭するワイパーブレード（１４Ａ）と、
室内スライドポール（１１Ａ）を垂直状態に保つため、窓の上枠（２２）の室内側から見て左端近くの固定位置（１５Ａ−１）から室内スライドポールの位置まで上枠に沿って延び、９０度方向転換して室内スライドポール内を通過し、更に９０度方向転換して下枠（２３）の右端近くの固定位置（１５Ａ−２）まで下枠に沿って延びるよう、張り詰めた状態で張架された非伸縮性の室内スライドポール垂直保持用第１ワイヤ（１５Ａ）と、
室内スライドポール（１１Ａ）を垂直状態に保つため、窓の上枠（２２）の右端近くの固定位置（１６Ａ−１）から室内スライドポールの位置まで上枠に沿って延び、９０度方向転換して室内スライドポール内を通過し、更に９０度方向転換して下枠（２３）の左端近くの固定位置（１６Ａ−２）まで下枠に沿って延びるよう、張り詰めた状態で張架された非伸縮性の室内スライドポール垂直保持用第２ワイヤ（１６Ａ）と、
ガラス（２１）の丈と略等しい長さを有し、上端及び下端に設けたガイド部材（１２Ｂ，１３Ｂ）により、ガラスの室外側を窓の上枠（２２）と下枠（２３）に沿って左右に移動可能なよう保持された室外スライドポール（１１Ｂ）と、
当該室外スライドポールの略全長にわたって延びるよう取り付けられ、ガラスの室外側表面を払拭するワイパーブレード（１４Ｂ）と、
室外スライドポール（１１Ｂ）を垂直状態に保つため、窓の上枠（２２）の室内側から見て右端近くの固定位置（１５Ｂ−１）から室外スライドポールの位置まで上枠に沿って延び、９０度方向転換して室外スライドポール内を通過し、更に９０度方向転換して下枠（２３）の左端近くの固定位置（１５Ｂ−２）まで下枠に沿って延びるよう、張り詰めた状態で張架された非伸縮性の室外スライドポール垂直保持用第１ワイヤ（１５Ｂ）と、
室外スライドポール（１１Ｂ）を垂直状態に保つため、窓の上枠（２２）の左端近くの固定位置（１６Ｂ−１）から室外スライドポールの位置まで上枠に沿って延び、９０度方向転換して室外スライドポール内を通過し、更に９０度方向転換して下枠（２３）の右端近くの固定位置（１６Ｂ−２）まで下枠に沿って延びるよう、張り詰めた状態で張架された非伸縮性の室外スライドポール垂直保持用第２ワイヤ（１６Ｂ）と、
室内スライドポール（１１Ａ）及び室外スライドポール（１１Ｂ）の下端及び／又は上端近くを左右に同時に引き動かす牽引ワイヤ（１７−１，１７−２）と、
上記牽引ワイヤ（１７−１，１７−２）をその軸方向に移動可能なよう保持する牽引ワイヤ張架機構（１８−１，１８−２）と、
から構成されたことを特徴とする建物の窓ガラス内外面清掃装置。
【請求項２】
開閉不可能な窓枠にガラスを固定して成る嵌め殺し窓の清掃装置であって、
ガラス（２１０）の横幅と略等しい長さを有し、左端及び右端に設けたガイド部材（１２０Ａ，１３０Ａ）により、ガラスの室内側を窓の左右の縱枠（２４０，２５０）に沿って上下に移動可能なよう保持された室内スライドポール（１１０Ａ）と、
当該室内スライドポールの略全長にわたって延びるよう取り付けられ、ガラスの室内側表面を払拭するワイパーブレードと、
室内スライドポール（１１０Ａ）を水平状態に保つため、室内側から見て窓の左縱枠（２４０）の下端近くの固定位置（１５０Ａ−１）から室内スライドポールの位置まで左縱枠に沿って延び、９０度方向転換して室内スライドポール内を通過し、更に９０度方向転換して右縱枠（２５０）の上端近くの固定位置（１５０Ａ−２）まで右縱枠に沿って延びるよう、張り詰めた状態で張架された非伸縮性の室内スライドポール水平保持用第１ワイヤ（１５０Ａ）と、
室内スライドポール（１１０Ａ）を水平状態に保つため、窓の左縱枠（２４０）の上端近くの固定位置（１６０Ａ−１）から室内スライドポールの位置まで左縱枠に沿って延び、９０度方向転換して室内スライドポール内を通過し、更に９０度方向転換して右縱枠（２５０）の下端近くの固定位置（１６０Ａ−２）まで右縱枠に沿って延びるよう、張り詰めた状態で張架された非伸縮性の室内スライドポール水平保持用第２ワイヤ（１６０Ａ）と、
ガラス（２１０）の横幅と略等しい長さを有し、左端及び右端に設けたガイド部材（１２０Ｂ，１３０Ｂ）により、ガラスの室外側を窓の左右の縱枠（２４０，２５０）に沿って上下に移動可能なよう保持された室外スライドポール（１１０Ｂ）と、
当該室外スライドポールの略全長にわたって延びるよう取り付けられ、ガラスの室外側表面を払拭するワイパーブレードと、
室外スライドポール（１１０Ｂ）を水平状態に保つため、室内側から見て窓の左縱枠（２４０）の上端近くの固定位置（１５０Ｂ−１）から室外スライドポールの位置まで左縱枠に沿って延び、９０度方向転換して室外スライドポール内を通過し、更に９０度方向転換して右縱枠（２５０）の下端近くの固定位置（１５０Ｂ−２）まで右縱枠に沿って延びるよう、張り詰めた状態で張架された非伸縮性の室外スライドポール水平保持用第１ワイヤ（１５０Ｂ）と、
室外スライドポール（１１０Ｂ）を水平状態に保つため、窓の左縱枠（２４０）の下端近くの固定位置（１６０Ｂ−１）から室外スライドポールの位置まで左縱枠に沿って延び、９０度方向転換して室外スライドポール内を通過し、更に９０度方向転換して右縱枠（２５０）の上端近くの固定位置（１６０Ｂ−２）まで右縱枠に沿って延びるよう、張り詰めた状態で張架された非伸縮性の室外スライドポール水平保持用第２ワイヤ（１６０Ｂ）と、
室内スライドポール（１１０Ａ）及び室外スライドポール（１１０Ｂ）の左端及び／又は右端近くを上下に同時に引き動かす牽引ワイヤ（１７０−１，１７０−２）と、
上記牽引ワイヤ（１７０−１，１７０−２）をその軸方向に移動可能なよう保持する牽引ワイヤ張架機構（１８0−１，１８０−２）と、
から構成されたことを特徴とする建物の窓ガラス内外面清掃装置。
【請求項３】
上記室内スライドポール(１１A、１１Ｂ)及び室外スライドポール(１１０Ａ，１１０Ｂ)を手動で移動可能なよう構成した請求項１又は２に記載の建物の窓ガラス内外面清掃装置。
【請求項４】
上記室内スライドポール(１１A、１１Ｂ)及び室外スライドポール(１１０Ａ，１１０Ｂ)を電動で移動可能なよう構成した請求項１又は２に記載の建物の窓ガラス内外面清掃装置。
【請求項５】
上枠（２２）に沿って、ガラス内面及び外面へ洗浄水を放出する散水パイプ（２６Ａ、２６Ｂ）を設けた請求項１ないし４のうちいずれか一項に記載の建物の窓ガラス内外面清掃装置。
【請求項６】
上記散水パイプ（２６Ａ、２６Ｂ）へ手動弁を介して水道水を供給する請求項５に記載の建物の窓ガラス内外面清掃装置。
【請求項７】
上記散水パイプ（２６Ａ、２６Ｂ）へ手動又は電動ポンプにより洗浄水を供給する手段を設けた請求項５に記載の建物の窓ガラス内外面清掃装置。
【請求項８】
上記各ワイパーブレード（１４Ａ、１４Ｂ）がガラス面（２１）に対して所定の圧力で当接するよう、各ワイパーブレードを室内スライドポール（１１Ａ）又は室外スライドポール（１１Ｂ）に対してスプリング付勢（１４Ａ−２、１４Ｂ−２）して取り付けたことを特徴とする請求項１から７までのいずれか一項に記載の建物の窓ガラス内外面清掃装置。
【発明の詳細な説明】
【技術分野】
【０００１】
本発明は、建物の嵌め殺し窓の清掃装置に関し、より具体的には、嵌め殺し窓のガラスの内面及び外面を比較的簡便な手段で同時に効率よく清掃することのできる窓ガラス内外面清掃装置に関するものである。
【背景技術】
【０００２】
ビルの窓ガラスの外面を自動的に洗浄する装置は、これまでにも多く提案されており、それらの例として例えば下記特許文献１〜４に記載のものを挙げることができる。
【０００３】
これら特許文献１〜４に記載の装置は、ビルの外壁面に沿って移動可能な台車機構に設けたワイパーユニットのワイパーブレードでガラスの表面を拭き清めるようになっており、その台車機構を移動させるためにモーター等を使用し、また、台車機構を支持するためのガイドレール等も設けるため、一般的に大型で高価なものであった。
そのため、多数のガラスを無目（横向きの桟）もしくは方立（縦向きの桟）により並べて配置したガラス壁のようなものの清掃には適しているが、開閉不可能な窓枠に１枚のガラスを固定し、多くの場合、窓と窓の間に壁面が存在するような、いわゆる嵌め殺し窓を個別に清掃するには適していなかった。
地上から手の届かない２階もしくはそれより上層階の嵌め殺し窓の清掃はきわめて困難であり、そのため現在でも専門の作業員に依頼することが多かった。
【０００４】
そのような問題点を解決するため、本発明者は下記の特許文献５において、窓掃除の専門業者によることなく、嵌め殺し窓のガラスの外側表面を効率よく清掃できる簡便な構造の清掃装置を開示した。
しかしながら、当該特許文献５に記載の装置では、窓ガラスの室内側の面は別途手作業で拭き清める必要があり、二度手間になるという問題があった。
【０００５】
【特許文献１】特表２００３−５１６７９２号公報（特願２００１−５４４５５９）
【特許文献２】特願２００４−０８２４２５
【特許文献３】特願２００４−１３６９５１
【特許文献４】特願２００４−１９６９４０
【特許文献５】特願２００４−２９５４９４
【発明の開示】
【発明が解決しようとする課題】
【０００６】
本発明は、上記の問題点を解決するためなされたものであり、その目的とするところは、嵌め殺し窓ごとに個別に備えられ、ガラスの外側だけでなく内側の表面も同時に効率よく清掃でき、簡便な構造で、製造及び設置コストも安くて済み、専門業者に清掃を依頼する必要性も解消する建物の窓ガラス内外面清掃装置を提供することにある。
【課題を解決するための手段】
【０００７】
上記の目的は、
開閉不可能な窓枠にガラスを固定して成る嵌め殺し窓の清掃装置であって、
ガラスの丈と略等しい長さを有し、上端及び下端に設けたガイド部材により、ガラスの室内側を窓の上枠と下枠に沿って左右に移動可能なよう保持された室内スライドポールと、
当該室内スライドポールの略全長にわたって延びるよう取り付けられ、ガラスの室内側表面を払拭するワイパーブレードと、
室内スライドポールを垂直状態に保つため、窓の上枠の室内側から見て左端近くの固定位置から室内スライドポールの位置まで上枠に沿って延び、９０度方向転換して室内スライドポール内を通過し、更に９０度方向転換して下枠の右端近くの固定位置まで下枠に沿って延びるよう、張り詰めた状態で張架された非伸縮性の室内スライドポール垂直保持用第１ワイヤと、
室内スライドポールを垂直状態に保つため、窓の上枠の右端近くの固定位置から室内スライドポールの位置まで上枠に沿って延び、９０度方向転換して室内スライドポール内を通過し、更に９０度方向転換して下枠の左端近くの固定位置まで下枠に沿って延びるよう、張り詰めた状態で張架された非伸縮性の室内スライドポール垂直保持用第２ワイヤと、
ガラスの丈と略等しい長さを有し、上端及び下端に設けたガイド部材により、ガラスの室外側を窓の上枠と下枠に沿って左右に移動可能なよう保持された室外スライドポールと、
当該室外スライドポールの略全長にわたって延びるよう取り付けられ、ガラスの室外側表面を払拭するワイパーブレードと、
室外スライドポールを垂直状態に保つため、窓の上枠の室内側から見て右端近くの固定位置から室外スライドポールの位置まで上枠に沿って延び、９０度方向転換して室外スライドポール内を通過し、更に９０度方向転換して下枠の左端近くの固定位置まで下枠に沿って延びるよう、張り詰めた状態で張架された非伸縮性の室外スライドポール垂直保持用第１ワイヤと、
室外スライドポールを垂直状態に保つため、窓の上枠の左端近くの固定位置から室外スライドポールの位置まで上枠に沿って延び、９０度方向転換して室外スライドポール内を通過し、更に９０度方向転換して下枠の右端近くの固定位置まで下枠に沿って延びるよう、張り詰めた状態で張架された非伸縮性の室外スライドポール垂直保持用第２ワイヤと、
室内スライドポール及び室外スライドポールの下端及び／又は上端近くを左右に同時に引き動かす牽引ワイヤと、
上記牽引ワイヤをその軸方向に移動可能なよう保持する牽引ワイヤ張架機構と、
から構成されたことを特徴とする建物の窓ガラス内外面清掃装置によって達成できる。
【０００８】
更にまた、上記の目的は、
開閉不可能な窓枠にガラスを固定して成る嵌め殺し窓の清掃装置であって、
ガラスの横幅と略等しい長さを有し、左端及び右端に設けたガイド部材により、ガラスの室内側を窓の左右の縱枠に沿って上下に移動可能なよう保持された室内スライドポールと、
当該室内スライドポールの略全長にわたって延びるよう取り付けられ、ガラスの室内側表面を払拭するワイパーブレードと、
室内スライドポールを水平状態に保つため、室内側から見て窓の左縱枠の下端近くの固定位置から室内スライドポールの位置まで左縱枠に沿って延び、９０度方向転換して室内スライドポール内を通過し、更に９０度方向転換して右縱枠の上端近くの固定位置まで右縱枠に沿って延びるよう、張り詰めた状態で張架された非伸縮性の室内スライドポール水平保持用第１ワイヤと、
室内スライドポールを水平状態に保つため、窓の左縱枠の上端近くの固定位置から室内スライドポールの位置まで左縱枠に沿って延び、９０度方向転換して室内スライドポール内を通過し、更に９０度方向転換して右縱枠の下端近くの固定位置まで右縱枠に沿って延びるよう、張り詰めた状態で張架された非伸縮性の室内スライドポール水平保持用第２ワイヤと、
ガラスの横幅と略等しい長さを有し、左端及び右端に設けたガイド部材により、ガラスの室外側を窓の左右の縱枠に沿って上下に移動可能なよう保持された室外スライドポールと、
当該室外スライドポールの略全長にわたって延びるよう取り付けられ、ガラスの室外側表面を払拭するワイパーブレードと、
室外スライドポールを水平状態に保つため、室内側から見て窓の左縱枠の上端近くの固定位置から室外スライドポールの位置まで左縱枠に沿って延び、９０度方向転換して室外スライドポール内を通過し、更に９０度方向転換して右縱枠の下端近くの固定位置まで右縱枠に沿って延びるよう、張り詰めた状態で張架された非伸縮性の室外スライドポール水平保持用第１ワイヤと、
室外スライドポールを水平状態に保つため、窓の左縱枠の下端近くの固定位置から室外スライドポールの位置まで左縱枠に沿って延び、９０度方向転換して室外スライドポール内を通過し、更に９０度方向転換して右縱枠の上端近くの固定位置まで右縱枠に沿って延びるよう、張り詰めた状態で張架された非伸縮性の室外スライドポール水平保持用第２ワイヤと、
室内スライドポール及び室外スライドポールの左端及び／又は右端近くを上下に同時に引き動かす牽引ワイヤと、
上記牽引ワイヤをその軸方向に移動可能なよう保持する牽引ワイヤ張架機構と、
から構成されたことを特徴とする建物の窓ガラス内外面清掃装置によっても達成できる。
【０００９】
上記室内スライドポール及び室外スライドポールは、手動で移動可能なよう構成することもできるし、電動で移動可能なよう構成することもできる。
また、窓の上枠に沿って、ガラス内面及び外面へ洗浄水を放出する散水パイプを設けることが望ましく、当該散水パイプへは、手動弁を介して水道水を供給するようにしたり、或いはまた、水等の洗浄水を手動又は電動ポンプにより供給する手段を設けるようにしてもよい。
また、上記各ワイパーブレードがガラス面に対して所定の圧力で当接するよう、各ワイパーブレードを室内スライドポール又は室外スライドポールに対してスプリング付勢して取り付けることも推奨される。
【発明の効果】
【００１０】
上記の如き構成であると、窓ガラスの清掃が必要なときには、ガラスの内面及び外面に沿って室内及び室外スライドポールを左右又は上下方向に移動させるだけで、ポールに取り付けられたワイパーブレードがガラスの内面及び外面を同時に全面的に払拭し、清掃が行われるものであるから、簡単な操作で効率よく窓ガラスの内外両面の清掃作業が完了し、専門業者に清掃を依頼する必要性も解消するものである。また、簡便な構造で、大型の装置を必要としないため、不使用時には室内及び室外スライドポールをガラスの片側に寄せておくことにより窓の外観を損なうことがなく、価格的にも安くで提供できるため、各窓ごとに設けることが可能となる。
【発明を実施するための最良の形態】
【００１１】
以下、図面に示す実施例を参照しつつ、本発明を実施するための最良の形態について説明する。
【実施例】
【００１２】
図１は、本発明に係る建物の窓ガラス内外面清掃装置の一実施例を室内側から見た状態で示す正面図であり、併せて、室内スライドポールの垂直保持用第１及び第２ワイヤの張架状態を示す正面図、
図２は、図１に示したものと同一の実施例を室内側から見た状態で示す正面図であり、併せて、室外スライドポールの垂直保持用第１及び第２ワイヤの張架状態を示す正面図、
図３は、図１中のIII−III線に沿った中間省略横断面図、
図４は、図３中のIＶ −IＶ 線に沿った中間省略縦断面図、
図５は、本発明に係る建物の窓ガラス内外面清掃装置のもう一つの実施例を室内側から見た状態で示す正面図であり、併せて、室内スライドポールの水平保持用第１及び第２ワイヤの張架状態を示す正面図、
図６は、図５に示したものと同一の実施例を室内側から見た状態で示す正面図であり、併せて、室外スライドポールの水平保持用第１及び第２ワイヤの張架状態を示す正面図である。
【００１３】
まず、図１〜図４に示す実施例について説明する。
図１〜図４中、１１Ａは窓ガラスの室内側で左右方向に移動可能な室内スライドポール、１１Ｂは窓ガラスの室外側で左右方向に移動可能な室外スライドポール、１２Ａ及び１３Ａは、室内スライドポール１１Ａの上端及び下端に取り付けられたガイド部材、１２Ｂ及び１３Ｂは、室外スライドポール１１Ｂの上端及び下端に取り付けられたガイド部材、１４Ａは室内スライドポール１１Ａに取り付けられたワイパーブレード、１４Ｂは室外スライドポール１１Ｂに取り付けられたワイパーブレード、１４Ａ−１，１４Ｂ−１はワイパーホルダ、１４Ａ−２，１４Ｂ−２は押出しスプリング、１５Ａ及び１６Ａは室内スライドポール１１Ａの垂直保持用第１及び第２ワイヤ、１５Ｂ及び１６Ｂは室外スライドポール１１Ｂの垂直保持用第１及び第２ワイヤ、１７−１，１７−２は室内及び室外スライドポールを左右に引き動かす牽引ワイヤ、１８−１，１８−２は牽引ワイヤ１７−１，１７−２が巻き掛けられたプーリ、２１は清掃すべき嵌め殺し窓のガラス、２２は嵌め殺し窓の上枠、２３は下枠、２４及び２５は縦枠、２６Ａ，２６Ｂは上枠２２に設けられた散水パイプ、２７は給水パイプ、２８は水道管又は手動ポンプ若しくは電動ポンプに接続される給水口である。
【００１４】
図示する如く、室内スライドポール１１Ａ及び室外スライドポール１１Ｂは、ガラス２１の丈（たけ）と略等しい長さを有し、その上端及び下端にはそれぞれガイド部材１２Ａ，１３Ａ，１２Ｂ，１３Ｂが設けられ、ガイド部材１２Ａ，１２Ｂは窓の上枠２２に沿って左右方向に摺動可能なように保持され、ガイド部材１３Ａ，１３Ｂは下枠２３に沿って左右方向に摺動可能なように保持されている。
【００１５】
この実施例においては、室内スライドポール１１Ａは、その垂直保持用第１ワイヤ１５Ａ及び第２ワイヤ１６Ａ（図１参照）の作用で、垂直状態を保ちつつ左右に円滑に移動し得るよう構成され、また、室外スライドポール１１Ｂは、その垂直保持用第１ワイヤ１５Ｂ及び第２ワイヤ１６Ｂ（図２参照）の作用で、垂直状態を保ちつつ左右に円滑に移動し得るよう構成されている。
【００１６】
まず、図１を参照しつつ、室内スライドポール１１Ａとその垂直保持用第１ワイヤ１５Ａ及び第２ワイヤ１６Ａの機能について説明する。
非伸縮性の垂直保持用第１ワイヤ１５Ａは、窓の上枠２２の室内側から見て左端近くの固定位置１５Ａ−１から室内スライドポール１１Ａの位置まで上枠２２内を上枠に沿って延び、室内スライドポール１１Ａの上端のガイド部材１２Ａに取り付けたプーリ（図では省略）に巻き掛けられて下方へ向けて９０度方向転換して室内スライドポール内を通過し、更に、室内スライドポール１１Ａの下端のガイド部材１３Ａに取り付けたプーリ（図では省略）に巻き掛けられて右方向へ向けて９０度方向転換して下枠２３の右端近くの固定位置１５Ａ−２まで下枠２３内を下枠に沿って延びるよう、緩みなく張り詰めた状態で張架されている。
同様に、非伸縮性の垂直保持用第２ワイヤ１６Ａは、窓の上枠２２の室内側から見て右端近くの固定位置１６Ａ−１から室内スライドポール１１Ａの位置まで上枠２２内を上枠に沿って延び、室内スライドポール１１Ａの上端のガイド部材１２Ａに取り付けたもう一つのプーリ（図では省略）に巻き掛けられて下方へ向けて９０度方向転換して室内スライドポール内を通過し、更に、室内スライドポール１１Ａの下端のガイド部材１３Ａに取り付けたもう一つのプーリ（図では省略）に巻き掛けられて左方向へ向けて９０度方向転換して下枠２３の左端近くの固定位置１６Ａ−２まで下枠２３内を下枠に沿って延びるよう、緩みなく張り詰めた状態で張架されている。
【００１７】
そこで、図１中において、例えば室内スライドポール１１Ａの上端が右側へ向けて傾くと仮定すると、室内スライドポール１１Ａ内の垂直保持用第１ワイヤ１５Ａも室内スライドポール１１Ａと共に傾くことになり、第１ワイヤ１５Ａは上側の固定位置１５Ａ−１と下側の固定位置１５Ａ−２の間でＺ字状に張られることになるので、その長さは図示した状態よりも長くなる。然しながら、垂直保持用第１ワイヤ１５Ａは非伸縮性であり、また既に張り詰めた状態で張架されていてそれ以上伸びることができないため、室内スライドポール１１Ａは上記の方向へ傾くことがきない。
他方、室内スライドポール１１Ａが上記とは逆方向へ傾こうとした場合には、同様に張り詰めた状態で張架されたもう一方の非伸縮性の垂直保持用第２ワイヤ１６Ａが上記と同様の理由でこれを阻止するため、結局、室内スライドポール１１Ａはどちらの側へも傾くことができず、垂直状態が維持されることになる。
即ち、室内スライドポール１１Ａが左右に移動する際には、垂直状態を保ちつつ左右に平行移動することになる。
【００１８】
次に、図２を参照しつつ、室外スライドポール１１Ｂとその垂直保持用第１ワイヤ１５Ｂ及び第２ワイヤ１６Ｂの機能について説明する。
非伸縮性の垂直保持用第１ワイヤ１５Ｂは、窓の上枠２２の室内側から見て右端近くの固定位置１５Ｂ−１から室外スライドポール１１Ｂの位置まで上枠２２内を上枠に沿って延び、室外スライドポール１１Ｂの上端のガイド部材１２Ｂに取り付けたプーリ（図では省略）に巻き掛けられて下方へ向けて９０度方向転換して室外スライドポール内を通過し、更に、室外スライドポール１１Ｂの下端のガイド部材１３Ｂに取り付けたプーリ（図では省略）に巻き掛けられて左方向へ向けて９０度方向転換して下枠２３の左端近くの固定位置１５Ｂ−２まで下枠２３内を下枠に沿って延びるよう、緩みなく張り詰めた状態で張架されている。
同様に、非伸縮性の垂直保持用第２ワイヤ１６Ｂは、窓の上枠２２の室内側から見て左端近くの固定位置１６Ｂ−１から室外スライドポール１１Ｂの位置まで上枠２２内を上枠に沿って延び、室外スライドポール１１Ｂの上端のガイド部材１２Ｂに取り付けたもう一つのプーリ（図では省略）に巻き掛けられて下方へ向けて９０度方向転換して室外スライドポール内を通過し、更に、室外スライドポール１１Ｂの下端のガイド部材１３Ｂに取り付けたもう一つのプーリ（図では省略）に巻き掛けられて右方向へ向けて９０度方向転換して下枠２３の右端近くの固定位置１６Ｂ−２まで下枠２３内を下枠に沿って延びるよう、緩みなく張り詰めた状態で張架されている。
【００１９】
そこで、図２中において、例えば室外スライドポール１１Ｂの上端が右側へ向けて傾くと仮定すると、室外スライドポール１１Ｂ内の垂直保持用第２ワイヤ１６Ｂも室外スライドポール１１Ｂと共に傾くことになり、第２ワイヤ１６Ｂは上側の固定位置１６Ｂ−１と下側の固定位置１６Ｂ−２の間でＺ字状に張られることになるので、その長さは図示した状態よりも長くなる。然しながら、垂直保持用第２ワイヤ１６Ｂは非伸縮性であり、また既に張り詰めた状態で張架されていてそれ以上伸びることができないため、室外スライドポール１１Ｂは上記の方向へ傾くことがきない。
他方、室外スライドポール１１Ｂが上記とは逆方向へ傾こうとした場合には、同様に張り詰めた状態で張架されたもう一方の非伸縮性の垂直保持用第１ワイヤ１５Ｂが上記と同様の理由でこれを阻止するため、結局、室外スライドポール１１Ｂはどちらの側へも傾くことができず、垂直状態が維持されることになる。
即ち、室外スライドポール１１Ｂが左右に移動する際には、垂直状態を保ちつつ左右に平行移動することになる。
【００２０】
図示した実施例において、図３に示す如く、牽引ワイヤ１７−１は、窓の下枠２３の左端近くに設けたプーリ１８−１に巻き掛けられると共に、その一端は室内スライドポール１１Ａの下端のガイド部材１３Ａに固定され、もう一端は室外スライドポール１１Ｂの下端のガイド部材１３Ｂに固定されている。もう１本の牽引ワイヤ１７−２は、窓の下枠２３の右端近くに設けたもう１個のプーリ１８−２に巻き掛けられると共に、その一端は室内スライドポール１１Ａの下端のガイド部材１３Ａに固定され、もう一端は室外スライドポール１１Ｂの下端のガイド部材１３Ｂに固定されている。
【００２１】
そのため、図示した例において、室内スライドポール１１Ａを手で掴んでこれを例えば右方向へ引き動かすと、牽引ワイヤ１７−１及び１７−２により室内スライドポール１１Ａと連結された室外スライドポール１１Ｂは、これと同時に左方向へ引き動かされる。そのため、室内スライドポール１１Ａによって窓ガラス２１の室内側の表面が清掃されるのと同時に、室外スライドポール１１Ｂによって窓ガラス２１の室外側の表面が清掃される。
【００２２】
なお、室内スライドポール１１Ａを手で引き動かす代わりに、小型のモータと減速歯車を用いてプーリ１８−１又は１８−２を正逆回転させることにより牽引ワイヤ１７−１及び１７−２を引き動かして室内及び室外スライドポールを同時に移動させるようにしてもよい。
また、状況に応じて、上側のガイド部材１２Ａ及び１２Ｂに牽引ワイヤを取り付けて、モータを用いて室内スライドポール１１Ａ及び室外スライドポール１１Ｂを左右に動かすようにしてもよく、場合によっては、上下のガイド部材１２Ａ，１２Ｂ及び１３Ａ，１３Ｂに牽引ワイヤを取り付けて動かすようにしてもよい。
また、プーリ１８−１及び１８−２の代わりに、歯車状スプロケットを用いることも可能であり、その場合、牽引ワイヤとしてチェインや凹凸溝を形成したタイミングベルトを用いて駆動するようにする。
従って、本発明において「牽引ワイヤ」というときは、そのようなチェインやタイミングベルトをも包含するものであり、また、「プーリ」というときは、歯車状スプロケットも包含するものである。
【００２３】
室内スライドポール１１Ａ及び室外スライドポール１１Ｂがガラス２１と対向する面には、それぞれその略全長にわたって延びるようにワイパーブレード１４Ａ及び１４Ｂが取り付けられ、上記の如く室内スライドポール１１Ａ及び室外スライドポール１１Ｂを垂直状態を保ちつつ窓の上枠及び下枠に沿って左右に移動させると、ワイパーブレード１４Ａ及び１４Ｂがガラス２１の室内側及び室外側表面を払拭、清掃するようになっている。
【００２４】
より具体的には、図３及び図４に示す如く、ワイパーブレード１４Ａ（１４Ｂ）は、ワイパーホルダ１４Ａ−１（１４Ｂ−１）の先端に取り付けられている。ワイパーホルダ１４Ａ−１（１４Ｂ−１）は、中空の室内スライドポール１１Ａ（室外スライドポール１１Ｂ）内でガラス２１へ向けて進出、後退し得るよう変位可能に保持されており、その後端を押出しスプリング１４Ａ−２（１４Ｂ−２）によってガラス２１へ向けて押し出されるように付勢されている。
これにより、ガラス２１に或る程度の歪みがあったり、室内スライドポール１１Ａ（室外スライドポール１１Ｂ）がガラス面から離れる方向へ幾分変位したような場合においても、ワイパーブレード１４Ａ（１４Ｂ）とガラス表面の接触が保たれ、十全な洗浄が行われるようになっている。
【００２５】
図１，図２及び図４に示すように、窓の上枠２２には、ガラス２１の室内側及び室外側表面へ水若しくは適宜の洗剤を混合した水等の洗浄水を供給するための散水パイプ２６Ａ及び２６Ｂを設けることが推奨される。
散水パイプ２６Ａ及び２６Ｂへ水を供給するには、例えば図１中の右縦枠２５内に設けた給水パイプ２７の給水口２８に、手動弁を介して水道管を接続し、窓ガラスの清掃時にその手動弁を開いて散水パイプ２６Ａ及び２６Ｂに水道水を供給するようにしてもよい。そうすることにより、特別のポンプ等を必要とすることなく水道圧で散水を行い得るという利点がある。
窓の近くまで水道管の配管工事が困難な環境下においては、上記給水パイプ２７の給水口２８に手動ポンプ又は電動ポンプを接続し、これらのポンプを通じて散水パイプ２６Ａ及び２６Ｂへ水もしくは洗剤を混合した水等の洗浄液を送るようにしてもよい。
【００２６】
次に、図５及び図６を参照して、本発明のもう一つの実施例について説明する。
図１〜図４に示した実施例においては、室内及び室外スライドポールを窓枠内で左右方向に移動させて窓ガラスの内面及び外面の清掃を同時に行うように構成されていたが、図５及び図６に示した実施例においては、室内及び室外スライドポールを窓枠内で上下方向に移動させて窓ガラスの清掃を行うように構成されている。
【００２７】
図５及び図６中、１１０Ａは窓ガラスの室内側で上下方向に移動可能な室内スライドポール、１１０Ｂは窓ガラスの室外側で上下方向に移動可能な室外スライドポール、１２０Ａ及び１３０Ａは、室内スライドポール１１０Ａの左端及び右端に取り付けられたガイド部材、１２０Ｂ及び１３０Ｂは、室外スライドポール１１０Ｂの左端及び右端に取り付けられたガイド部材、１５０Ａ及び１６０Ａは室内スライドポール１１０Ａの水平保持用第１及び第２ワイヤ、１５０Ｂ及び１６０Ｂは室外スライドポール１１０Ｂの水平保持用第１及び第２ワイヤ、１７０−１，１７０−２は室内及び室外スライドポールを上下に引き動かす牽引ワイヤ、１８０−１，１８０−２は牽引ワイヤ１７０−１，１７０−２が巻き掛けられたプーリ、２６０Ａ，２６０Ｂは上枠２２０に設けられた散水パイプ、２７０は給水パイプ、２８０は水道管又は手動ポンプ若しくは電動ポンプに接続される給水口である。
なお、図５及び図６に示した実施例においても、図１〜図４に示した実施例と同様に、室内及び室外スライドポールには、ガラスの表面を払拭するワイパーブレード等が取り付けられるが、その構成は図１〜図４に示した実施例と同様である。
【００２８】
図示する如く、室内スライドポール１１０Ａ及び室外スライドポール１１０Ｂは、ガラス２１０の横幅と略等しい長さを有し、その左端及び右端にはそれぞれガイド部材１２０Ａ，１３０Ａ，１２０Ｂ，１３０Ｂが設けられ、ガイド部材１２０Ａ，１２０Ｂは窓の左縦枠２４０に沿って上下方向に摺動可能なように保持され、ガイド部材１３０Ａ，１３０Ｂは右縦枠２５０に沿って上下方向に摺動可能なように保持されている。
【００２９】
この実施例においては、室内スライドポール１１０Ａは、その水平保持用第１ワイヤ１５０Ａ及び第２ワイヤ１６０Ａ（図５参照）の作用で、水平状態を保ちつつ上下方向に円滑に移動し得るよう構成され、また、室外スライドポール１１０Ｂは、その水平保持用第１ワイヤ１５０Ｂ及び第２ワイヤ１６０Ｂ（図６参照）の作用で、水平状態を保ちつつ上下方向に円滑に移動し得るよう構成されている。
【００３０】
まず、図５を参照しつつ、室内スライドポール１１０Ａとその水平保持用第１ワイヤ１５０Ａ及び第２ワイヤ１６０Ａの機能について説明する。
非伸縮性の水平保持用第１ワイヤ１５０Ａは、室内側から見て窓の左縦枠２４０の下端近くの固定位置１５０Ａ−１から室内スライドポール１１０Ａの位置まで左縦枠２４０内を左縦枠に沿って延び、室内スライドポール１１０Ａの左端のガイド部材１２０Ａに取り付けたプーリ（図では省略）に巻き掛けられて右方へ向けて９０度方向転換して室内スライドポール内を通過し、更に、室内スライドポール１１０Ａの右端のガイド部材１３０Ａに取り付けたプーリ（図では省略）に巻き掛けられて上方向へ向けて９０度方向転換して右縦枠２５０の上端近くの固定位置１５０Ａ−２まで右縦枠２５０内を右縦枠に沿って延びるよう、緩みなく張り詰めた状態で張架されている。
同様に、非伸縮性の水平保持用第２ワイヤ１６０Ａは、室内側から見て窓の左縦枠２４０の上端近くの固定位置１６０Ａ−１から室内スライドポール１１０Ａの位置まで左縦枠２４０内を左縦枠に沿って延び、室内スライドポール１１０Ａの左端のガイド部材１２０Ａに取り付けたもう一つのプーリ（図では省略）に巻き掛けられて右方へ向けて９０度方向転換して室内スライドポール内を通過し、更に、室内スライドポール１１０Ａの右端のガイド部材１３０Ａに取り付けたもう一つのプーリ（図では省略）に巻き掛けられて下方向へ向けて９０度方向転換して右縦枠２５０の下端近くの固定位置１６０Ａ−２まで右縦枠２５０内を右縦枠に沿って延びるよう、緩みなく張り詰めた状態で張架されている。
【００３１】
そこで、図５中において、例えば室内スライドポール１１０Ａの左端が上側へ向けて傾くと仮定すると、室内スライドポール１１０Ａ内の水平保持用第１ワイヤ１５０Ａも室内スライドポール１１０Ａと共に傾くことになり、第１ワイヤ１５０Ａは左下側の固定位置１５０Ａ−１と右上側の固定位置１５０Ａ−２の間でＮ字状に張られることになるので、その長さは図示した状態よりも長くなる。然しながら、水平保持用第１ワイヤ１５０Ａは非伸縮性であり、また既に張り詰めた状態で張架されていてそれ以上伸びることができないため、室内スライドポール１１０Ａは上記の方向へ傾くことがきない。
他方、室内スライドポール１１０Ａが上記とは逆方向へ傾こうとした場合には、同様に張り詰めた状態で張架されたもう一方の非伸縮性の水平保持用第２ワイヤ１６０Ａが上記と同様の理由でこれを阻止するため、結局、室内スライドポール１１０Ａはどちらの側へも傾くことができず、水平状態が維持されることになる。
即ち、室内スライドポール１１０Ａが上下方向に移動する際には、水平状態を保ちつつ上下に平行移動することになる。
【００３２】
次に、図６を参照しつつ、室外スライドポール１１０Ｂとその水平保持用第１ワイヤ１５０Ｂ及び第２ワイヤ１６０Ｂの機能について説明する。
非伸縮性の水平保持用第１ワイヤ１５０Ｂは、室内側から見て窓の左縦枠２４０の上端近くの固定位置１５０Ｂ−１から室外スライドポール１１０Ｂの位置まで左縦枠２４０内を左縦枠に沿って延び、室外スライドポール１１０Ｂの左端のガイド部材１２０Ｂに取り付けたプーリ（図では省略）に巻き掛けられて右方へ向けて９０度方向転換して室外スライドポール内を通過し、更に、室外スライドポール１１０Ｂの右端のガイド部材１３０Ｂに取り付けたプーリ（図では省略）に巻き掛けられて下方向へ向けて９０度方向転換して右縦枠２５０の下端近くの固定位置１５０Ｂ−２まで右縦枠２５０内を右縦枠に沿って延びるよう、緩みなく張り詰めた状態で張架されている。
同様に、非伸縮性の水平保持用第２ワイヤ１６０Ｂは、室内側から見て窓の左縦枠２４０の下端近くの固定位置１６０Ｂ−１から室外スライドポール１１０Ｂの位置まで左縦枠２４０内を左縦枠に沿って延び、室外スライドポール１１０Ｂの左端のガイド部材１２０Ｂに取り付けたもう一つのプーリ（図では省略）に巻き掛けられて右方へ向けて９０度方向転換して室外スライドポール内を通過し、更に、室外スライドポール１１０Ｂの右端のガイド部材１３０Ｂに取り付けたもう一つのプーリ（図では省略）に巻き掛けられて上方向へ向けて９０度方向転換して右縦枠２５０の上端近くの固定位置１６０Ｂ−２まで右縦枠２５０内を右縦枠に沿って延びるよう、緩みなく張り詰めた状態で張架されている。
【００３３】
そこで、図６中において、例えば室外スライドポール１１０Ｂの左端が上側へ向けて傾くと仮定すると、室外スライドポール１１０Ｂ内の水平保持用第２ワイヤ１６０Ｂも室外スライドポール１１０Ｂと共に傾くことになり、第２ワイヤ１６０Ｂは左下側の固定位置１６０Ｂ−１と右上側の固定位置１６０Ｂ−２の間でＮ字状に張られることになるので、その長さは図示した状態よりも長くなる。然しながら、水平保持用第２ワイヤ１６０Ｂは非伸縮性であり、また既に張り詰めた状態で張架されていてそれ以上伸びることができないため、室外スライドポール１１０Ｂは上記の方向へ傾くことがきない。
他方、室外スライドポール１１０Ｂが上記とは逆方向へ傾こうとした場合には、同様に張り詰めた状態で張架されたもう一方の非伸縮性の水平保持用第１ワイヤ１５０Ｂが上記と同様の理由でこれを阻止するため、結局、室外スライドポール１１０Ｂはどちらの側へも傾くことができず、水平状態が維持されることになる。
即ち、室外スライドポール１１０Ｂが上下方向に移動する際には、水平状態を保ちつつ上下に平行移動することになる。
【００３４】
図５及び図６に示した実施例においても、図１〜図４に示した実施例と同様に、牽引ワイヤ１７０−１は、窓の右縦枠２５０の下端近くに設けたプーリ１８０−１に巻き掛けられると共に、その一端は室内スライドポール１１０Ａの右端のガイド部材１３０Ａに固定され、もう一端は室外スライドポール１１０Ｂの右端のガイド部材１３０Ｂに固定されている。もう１本の牽引ワイヤ１７０−２は、窓の右縦枠２５０の上端近くに設けたもう１個のプーリ１８０−２に巻き掛けられると共に、その一端は室内スライドポール１１０Ａの右端のガイド部材１３０Ａに固定され、もう一端は室外スライドポール１１０Ｂの右端のガイド部材１３０Ｂに固定されている。
そのため、図示した例において、室内スライドポール１１０Ａを手で掴んでこれを例えば上方向へ引き動かすと、牽引ワイヤ１７０−１及び１７０−２により室内スライドポール１１０Ａと連結された室外スライドポール１１０Ｂは、これと同時に下方向へ引き動かされる。そのため、室内スライドポール１１０Ａによって窓ガラス２１０の室内側の表面が清掃されるのと同時に、室外スライドポール１１０Ｂによって窓ガラス２１０の室外側の表面が清掃される。
【００３５】
なお、室内スライドポール１１０Ａを手で引き動かす代わりに、小型のモータと減速歯車を用いてプーリ１８０−１又は１８０−２を正逆回転させることにより牽引ワイヤ１７０−１及び１７０−２を引き動かして室内及び室外スライドポールを同時に移動させるようにしてもよい。
また、状況に応じて、左側のガイド部材１２０Ａ及び１２０Ｂに牽引ワイヤを取り付けて、モータを用いて室内スライドポール１１０Ａ及び室外スライドポール１１０Ｂを上下方向に動かすようにしてもよく、場合によっては、左右のガイド部材１２０Ａ，１２０Ｂ及び１３０Ａ，１３０Ｂに牽引ワイヤを取り付けて動かすようにしてもよい。
また、プーリ１８０−１及び１８０−２の代わりに、歯車状スプロケットを用いることも可能であり、その場合、牽引ワイヤとしてチェインや凹凸溝を形成したタイミングベルトを用いて駆動するようにする。
【００３６】
室内スライドポール１１０Ａ及び室外スライドポール１１０Ｂがガラス２１０と対向する面には、それぞれその略全長にわたって延びるようにワイパーブレード（図では省略）が取り付けられ、上記の如く室内スライドポール１１０Ａ及び室外スライドポール１１０Ｂを水平状態を保ちつつ窓の左縦枠及び右縦枠に沿って上下方向に移動させると、これらのワイパーブレードがガラス２１０の室内側及び室外側表面を払拭、清掃するようになっている点も、図１〜図４に示した実施例と同様である。
また、図５及び図６に示す実施例においても、窓の上枠２２０には、ガラス２１０の室内側及び室外側表面へ水若しくは適宜の洗剤を混合した水等の洗浄水を供給するための散水パイプ２６０Ａ及び２６０Ｂを設けることが推奨される。
散水パイプ２６０Ａ及び２６０Ｂへ水を供給するには、例えば図５中の右縦枠２５０内に設けた給水パイプ２７０の給水口２８０に、手動弁を介して水道管を接続し、窓ガラスの清掃時にその手動弁を開いて散水パイプ２６０Ａ及び２６０Ｂに水道水を供給するようにしてもよい。そうすることにより、特別のポンプ等を必要とすることなく水道圧で散水を行い得るという利点がある。
また、窓の近くまで水道管の配管工事が困難な環境下においては、上記給水パイプ２７０の給水口２８０に手動ポンプ又は電動ポンプを接続し、これらのポンプを通じて散水パイプ２６０Ａ及び２６０Ｂへ水もしくは洗剤を混合した水等の洗浄液を送るようにしてもよい。
【００３７】
なお、本発明は上記の実施例に限定されるものではなく、その目的の範囲内において、上記の説明から当業者が容易に想到し得るすべての変更実施例を包摂するものである。
【産業上の利用可能性】
【００３８】
本発明は上記の如く構成されるから、本発明によるときは、窓ガラスの清掃が必要なときには、ガラスの内面及び外面に沿って室内及び室外スライドポールを左右又は上下方向に移動させるだけで、ポールに取り付けられたワイパーブレードがガラスの内面及び外面を同時に全面的に払拭し、清掃が行われるものであるから、簡単な操作で効率よく窓ガラスの内外両面の清掃作業が行われ、専門業者に清掃を依頼する必要性が解消するものであり、また、簡便な構造で、大型の装置を必要としないため、不使用時には室内及び室外スライドポールをガラスの片側に寄せておくことにより窓の外観を損なうことがなく、価格的にも安くで提供できるため、各窓ごとに設けることが可能となるものであるから、本発明は産業上多大の利用可能性を有するものである。
【図面の簡単な説明】
【００３９】
【図１】本発明に係る建物の窓ガラス内外面清掃装置の一実施例を室内側から見た状態で示す正面図であり、併せて、室内スライドポールの垂直保持用第１及び第２ワイヤの張架状態を示す正面図である。
【図２】図１に示したものと同一の実施例を室内側から見た状態で示す正面図であり、併せて、室外スライドポールの垂直保持用第１及び第２ワイヤの張架状態を示す正面図である。
【図３】図１中のIII−III線に沿った中間省略横断面図である。
【図４】図３中のIＶ −IＶ 線に沿った中間省略縦断面図である。
【図５】本発明に係る建物の窓ガラス内外面清掃装置のもう一つの実施例を室内側から見た状態で示す正面図であり、併せて、室内スライドポールの水平保持用第１及び第２ワイヤの張架状態を示す正面図である。
【図６】図５に示したものと同一の実施例を室内側から見た状態で示す正面図であり、併せて、室外スライドポールの水平保持用第１及び第２ワイヤの張架状態を示す正面図である。
【符号の説明】
【００４０】
１１Ａ    室内スライドポール
１１Ｂ    室外スライドポール
１２Ａ，１２Ｂ，１３Ａ，１３Ｂ  ガイド部材
１４Ａ，１４Ｂ    ワイパーブレード
１４Ａ−１，１４Ｂ−１  ワイパーホルダ
１４Ａ−２，１４Ｂ−２  押出しスプリング
１５Ａ    室内スライドポール垂直保持用第１ワイヤ
１５Ａ−１，１５Ａ−２  第１ワイヤ１５Ａの両端の固定位置
１５Ｂ    室外スライドポール垂直保持用第１ワイヤ
１５Ｂ−１，１５Ｂ−２  第１ワイヤ１５Ｂの両端の固定位置
１６Ａ    室内スライドポール垂直保持用第２ワイヤ
１６Ａ−１，１６Ａ−２  第２ワイヤ１６Ａの両端の固定位置
１６Ｂ    室外スライドポール垂直保持用第２ワイヤ
１６Ｂ−１，１６Ｂ−２  第２ワイヤ１６Ｂの両端の固定位置
１７−１，１７−２    牽引ワイヤ
１８−１，１８−２  プーリ
２１    ガラス
２２    上枠
２３    下枠
２４，２５  縦枠
２６Ａ，２６Ｂ    散水パイプ
２７    給水パイプ
２８    給水口
１１０Ａ    室内スライドポール
１１０Ｂ    室外スライドポール
１２０Ａ，１２０Ｂ，１３０Ａ，１３０Ｂ  ガイド部材
１４０Ａ，１４０Ｂ    ワイパーブレード
１５０Ａ    室内スライドポール水平保持用第１ワイヤ
１５０Ａ−１，１５０Ａ−２  第１ワイヤ１５０Ａの両端の固定位置
１５０Ｂ    室外スライドポール水平保持用第１ワイヤ
１５０Ｂ−１，１５０Ｂ−２  第１ワイヤ１５０Ｂの両端の固定位置
１６０Ａ    室内スライドポール水平保持用第２ワイヤ
１６０Ａ−１，１６０Ａ−２  第２ワイヤ１６０Ａの両端の固定位置
１６０Ｂ    室外スライドポール水平保持用第２ワイヤ
１６０Ｂ−１，１６０Ｂ−２  第２ワイヤ１６０Ｂの両端の固定位置
１７０−１，１７０−２    牽引ワイヤ
１８０−１，１８０−２  プーリ
２１０    ガラス
２２０    上枠
２３０    下枠
２４０，２５０  縦枠
２６０Ａ，２６０Ｂ    散水パイプ
２７０    給水パイプ
２８０    給水口
【図１】
2006239221.tif 000003
【図２】
2006239221.tif 000004
【図３】
2006239221.tif 000005
【図４】
2006239221.tif 000006
【図５】
2006239221.tif 000007
【図６】
2006239221.tif 000008